(57)【要約】ＣＤＭＡチャネルの上りリンクＳＩＮＲを推定する構成である。この構成は、チャネルのチャネライゼーションコードを使用して信号電力を推定する手段（４０）を含む。セレクタ（２８）は、チャネルのチャネライゼーションコードに直交するアイドルチャネライゼーションコードを検索し、選択する。このアイドルコードを更に別の手段（３０）が使用して干渉プラス雑音の電力を推定する。次に、これらの推定値を使用して手段（４２）がＳＩＮＲの推定値を形成する。
2006514452.tif 000002
【特許請求の範囲】
【請求項１】
ＣＤＭＡチャネルの上りリンクＳＩＮＲを推定する方法であって、
前記チャネルのチャネライゼーションコードを使用して信号電力の第１推定値を求めるステップ、
前記チャネルのチャネライゼーションコードに直交するアイドルチャネライゼーションコードを検索し、選択するステップ、
前記アイドルチャネライゼーションコードを使用して干渉プラス雑音の電力の第２推定値を求めるステップ、及び
前記第１及び第２推定値を使用して前記ＳＩＮＲの推定値を形成するステップ
を含む方法。
【請求項２】
前記形成するステップは、前記チャネルのチャネライゼーションコード及び前記アイドルチャネライゼーションコードが異なる拡散率を有する場合に前記第２推定値をスケーリングし直すステップを含む、請求項１記載の方法。
【請求項３】
最小の利用可能な拡散率を有するアイドルチャネライゼーションコードを選択するステップを含む、請求項１記載の方法。
【請求項４】
１又は２の個別物理データチャネルを上りリンクに使用する場合にアイドルチャネライゼーションコードＣｃｈ，２，１を選択するステップを含む、請求項３記載の方法。
【請求項５】
３又は４の個別物理データチャネルを上りリンクに使用する場合にアイドルチャネライゼーションコードＣｃｈ，４，２を選択するステップを含む、請求項３記載の方法。
【請求項６】
５又は６の個別物理データチャネルを上りリンクに使用する場合にアイドルチャネライゼーションコードＣｃｈ，８，１を選択するステップを含む、請求項３記載の方法。
【請求項７】
ＣＤＭＡチャネルの上りリンクの干渉プラス雑音の電力を推定する方法であって、
前記チャネルのチャネライゼーションコードに直交するアイドルチャネライゼーションコードを検索し、選択するステップ、及び
前記アイドルチャネライゼーションコードを使用して干渉プラス雑音の電力の推定値を求めるステップ
を含む方法。
【請求項８】
最小の利用可能な拡散率を有するアイドルチャネライゼーションコードを選択するステップを含む、請求項７記載の方法。
【請求項９】
ＣＤＭＡチャネルの上りリンクＳＩＮＲを推定する構成であって、
前記チャネルのチャネライゼーションコードを使用して信号電力の第１推定値を求める手段（１６、４０）、
前記チャネルのチャネライゼーションコードに直交するアイドルチャネライゼーションコードを検索し、選択する手段（２８）、
前記アイドルチャネライゼーションコードを使用して干渉プラス雑音の電力の第２推定値を求める手段（３０）、及び
前記第１及び第２推定値を使用して前記ＳＩＮＲの推定値を形成する手段（３２、４２）
を含む構成。
【請求項１０】
前記チャネルのチャネライゼーションコード及び前記アイドルチャネライゼーションコードが異なる拡散率を有する場合に前記第２推定値をスケーリングし直す手段（３２、４２）を含む、請求項９記載の構成。
【請求項１１】
最小の利用可能な拡散率を有するアイドルチャネライゼーションコードを選択する手段（２８）を含む、請求項９記載の構成。
【請求項１２】
１又は２の個別物理データチャネルを上りリンクに使用する場合にアイドルチャネライゼーションコードＣｃｈ，２，１を選択する手段（２８）を含む、請求項１１記載の構成。
【請求項１３】
３又は４の個別物理データチャネルを上りリンクに使用する場合にアイドルチャネライゼーションコードＣｃｈ，４，２を選択する手段（２８）を含む、請求項１１記載の構成。
【請求項１４】
５又は６の個別物理データチャネルを上りリンクに使用する場合にアイドルチャネライゼーションコードＣｃｈ，８，１を選択する手段（２８）を含む、請求項１１記載の構成。
【請求項１５】
ＣＤＭＡチャネルの上りリンクの干渉プラス雑音の電力を推定する構成であって、
前記チャネルのチャネライゼーションコードに直交するアイドルチャネライゼーションコードを検索し、選択する手段（２８）、及び
前記アイドルチャネライゼーションコードを使用して干渉プラス雑音の電力の推定値を求める手段（３０）
を含む構成。
【請求項１６】
最小の利用可能な拡散率を有するアイドルチャネライゼーションコードを選択する手段（２８）を含む、請求項１５記載の構成。
【請求項１７】
ＣＤＭＡチャネルの上りリンクＳＩＮＲを推定する構成を有する基地局であって、
前記チャネルのチャネライゼーションコードを使用して信号電力の第１推定値を求める手段（１６，４０）、
前記チャネルのチャネライゼーションコードに直交するアイドルチャネライゼーションコードを検索し、選択する手段（２８）、
前記アイドルチャネライゼーションコードを使用して干渉プラス雑音の電力の第２推定値を求める手段（３０）、及び
前記第１及び第２推定値を使用して前記ＳＩＮＲの推定値を形成する手段（３２，４２）
を含む基地局。
【請求項１８】
前記チャネルのチャネライゼーションコード及び前記アイドルチャネライゼーションコードが異なる拡散率を有する場合に前記第２推定値をスケーリングし直す手段（３２、４２）を含む、請求項１７記載の基地局。
【請求項１９】
最小の利用可能な拡散率を有するアイドルチャネライゼーションコードを選択する手段（２８）を含む、請求項１７記載の基地局。
【請求項２０】
１又は２の個別物理データチャネルを上りリンクに使用する場合にアイドルチャネライゼーションコードＣｃｈ，２，１を選択する手段（２８）を含む、請求項１９記載の基地局。
【請求項２１】
３又は４の個別物理データチャネルを上りリンクに使用する場合にアイドルチャネライゼーションコードＣｃｈ，４，２を選択する手段（２８）を含む、請求項１９記載の基地局。
【請求項２２】
５又は６の個別物理データチャネルを上りリンクに使用する場合にアイドルチャネライゼーションコードＣｃｈ，８，１を選択する手段（２８）を含む、請求項１９記載の基地局。
【請求項２３】
ＣＤＭＡチャネルの上りリンクの干渉プラス雑音の電力を推定する構成を有する基地局であって、
前記チャネルのチャネライゼーションコードに直交するアイドルチャネライゼーションコードを検索し、選択する手段（２８）、及び
前記アイドルチャネライゼーションコードを使用して干渉プラス雑音の電力の推定値を求める手段（３０）
を含む基地局。
【請求項２４】
最小の利用可能な拡散率を有するアイドルチャネライゼーションコードを選択する手段（２８）を含む、請求項２３記載の基地局。
【発明の詳細な説明】
【発明の開示】
【０００１】
技術分野
本発明は、符号分割多重接続（ＣＤＭＡ）チャネルの信号対干渉プラス雑音比（ＳＩＮＲ）の推定に関する。
【０００２】
背景技術
ＳＩＮＲは、ＣＤＭＡシステムにおいて内部ループ電力制御のような種々の無線ネットワークアルゴリズムに使用される重要なリンク性能の表示因子である。ＳＩＮＲ推定は、基地局及び移動局の両方における電力管理に間接的に影響するため非常に重要である。推定ＳＩＮＲが、生じている無線リンク品質を実際に反映し、更には推定ができる限り正確である必要がある。
ＳＩＮＲ推定は、信号電力「Ｓ」及び干渉プラス雑音電力「ＩＮ」を測定することにより行なわれる。「Ｓ」を測定するのは非常に簡単であるが、「ＩＮ」の測定の仕方は非常に分かり難い。
【０００３】
干渉プラス雑音（ＩＮ）の電力を推定する既知の方法では、パイロットシンボルを再生し（復元した後に）、理想信号ポイントからのこれらのシンボルの偏差を計算する。しかしながら、ＳＩＮＲはタイムスロット毎に測定するので、数個（２〜８）のパイロットシンボルしか利用することができず、これはＩＮ測定に関して得られる精度が非常に低いことを意味する。同じＩＮ推定値を全てのチャネルのＳＩＮＲ推定に使用するので、これらの推定値の精度は限られていることが分かる。
参考文献［１、２］に記載される別の方法では、一つの下りリンクチャネライゼーションコードを情報伝送には絶対に使用されない「干渉プラス雑音測定コード」として予約しておく。この方法では、受信信号を予約コードで復元することにより下りリンクＩＮ推定値を生成する。しかしながら、この方法は幾つかの欠点を有する。まず、この方法ではＩＮ測定のためにコードを予約するので既存の標準の再定義が必要である。次に、チャネライゼーションコードが不足する事態を回避するために、大きな拡散率（ＳＦ＝２５６）を有するコードを予約する。拡散率を大きくするということはシンボルが少なくなることを意味するので、これによって、達成可能な精度向上が制限される。
【０００４】
発明の概要
本発明の目的は、上りリンクＳＩＮＲの推定、特に干渉プラス雑音の推定の精度を、既存の標準への変更を必要とすることなく上げることにある。
この目的は添付の請求項によって実現する。
要約すると、本発明では、好適には利用可能な最小の拡散率を有するアイドル（使用されない）チャネライゼーションコードを選択し、このコードを使用して干渉プラス雑音の電力を推定する。アイドルコードを選択するので、既存の標準を変更する必要がないという利点がある。アイドルコード（このようなコードは必ず上りリンクにおいて常に利用可能である）を使用することの別の利点は、ＳＩＮＲ測定に起因するコード不足が生じないことである。更に、本方法によって、コードツリーを利用可能な最小の拡散率にまで下って検索することができるので、ＩＮ測定においてシンボルの数を増やすことができ、これによってＩＮ推定の精度を非常に高くすることができる。
【実施例】
【０００５】
本発明及び本発明の更なる目的及び利点は、添付図面を参照する以下の詳細な説明により最も深く理解できる。
以下の記述においては、同じ参照記号は図面全体を通じて同じか又は同様な構成要素を指すために使用する。
更に、ＢＰＳＫ又はＱＰＳＫ変調のみを用い、直交可変拡散率（ＯＶＳＦ）コードをチャネライゼーションコードとして使用し、スクランブリングコードは十分に長い期間に渡る複素数シーケンスであることを前提とする。ＷＣＤＭＡ及びＣＤＭＡ２０００は共にこれらの前提を満たす。
【０００６】
復元されるシンボル及び復調される元のビットのＳＩＮＲは通常、それぞれ次式により表わされる。
2006514452.tif 000003
上の式において、「Ｅ（ ）」は期待値（統計平均）を指す。位相補償が完全であるとすると、次式が導かれる。
2006514452.tif 000004
このような理由により、本文書では主として、復調される元のビットのＳＩＮＲについて議論し、「ＳＩＮＲ」という用語は通常、「ＳＩＮＲｂｉｔ」を表わす。
【０００７】
様々なベンダーがＳＩＮＲを推定するために異なる方法を有している。一例として、図１は、関連パイロットを利用することによりＳＩＮＲを推定するための機能ブロックを備える一般的なＣＤＭＡ受信機を示している。関連パイロットは予め分かっているシンボル／ビットであり、シンボル／ビットは同時に（マルチパスチャネル及び干渉プラス雑音電力が両方共にほとんど変化しないという意味において）、且つ同じ送信機からデータとして送信される。ＷＣＤＭＡ及びＣＤＭＡ２０００における個別パイロット及び共通パイロットは両方共に、このような関連パイロットの例である。
図１は先行技術によるＳＩＮＲ推定構成の概念ブロック図である。受信された信号サンプルは受信機フィルタ１０に転送される。受信機フィルタ１０はマルチパスチャネル整合フィルタ又は等化器である。フィルタリング処理された信号は複素スクランブリングコードの複素共役ＳＣ＊によりデスクランブリングされる。デスクランブリングした信号は、それぞれチャネライゼーションコードＣＣｄａｔａ及びＣＣｐｉｌｏｔと乗算し、積分器１２及び１４においてそれぞれ積分することにより、２つのパラレル信号ストリームｒｕｄａｔａ（ｎ）及びｒｕｐｉｌｏｔ（ｎ）に復元される。パイロット信号分岐を使用してＳＩＮＲ推定を行ない、この推定は、まずｒｕｐｉｌｏｔ（ｎ）に該当する既知の信号ｕｐｉｌｏｔ（ｎ）の複素共役を乗じることにより積信号ｒｕｕｐｉｌｏｔ（ｎ）を得、この積信号ｒｕｕｐｉｌｏｔ（ｎ）に基づいてＳＩＮＲ測定値を得ることにより行なう。次にＳＩＮＲをブロック１６、１８及び２０において次の等式を使用して推定する。
2006514452.tif 000005
上式中、
2006514452.tif 000006
であり、Ｎｐｉｌｏｔｓは推定に使用されるパイロットシンボルの数である（ＢＰＳＫの場合は１シンボル＝１ビット、ＱＰＳＫの場合は１シンボル＝２ビット）。関連パイロットに関するこのＳＩＮＲ推定は、上記の一般的なＳＩＮＲ定義に準拠するが、信号電力推定における偏りを取り除いている。
【０００８】
一般的に、データチャネルのＳＩＮＲは、単純に関連パイロットの推定ＳＩＮＲをスケーリングすることにより推定することができる。
2006514452.tif 000007
上式中の記号は以下のように定義する。
ＭＦｄａｔａ＝データに関する変調率（２＝ＢＰＳＫ，１＝ＱＰＳＫ）
ＭＦｐｉｌｏｔ＝関連パイロットに関する変調率（２＝ＢＰＳＫ，１＝ＱＰＳＫ）
ＳＦｄａｔａ＝データに関する拡散率
ＳＦｐｉｌｏｔ＝関連パイロットに関する拡散率
Ｐｄａｔａ＝データの送信電力
Ｐｐｉｌｏｔ＝関連パイロットの送信電力
ＷＣＤＭＡ及びＣＤＭＡ２０００では、下りリンクにはＱＰＳＫ変調を用い、上りリンクにはＢＰＳＫ変調を用いる。
【０００９】
開示される方法は、ＷＣＤＭＡ及びＣＤＭＡ２０００における上り個別パイロットを用いてＳＩＮＲ推定を行なう上り個別物理データチャネルに一般的なものである。この推定方法を使用すると次式が得られる。
2006514452.tif 000008
すなわち、推定データＳＩＮＲは推定パイロットＳＩＮＲと同じ精度を有する。推定精度は次式により定義される。
2006514452.tif 000009
「第３世代パートナーシッププロジェクト（３ＧＰＰ）」では、８０ｍｓの平均区間を有する区間−７ｄＢ＜１０・ｌｏｇ１０（ＳＩＮＲａｃｔｕａｌ）＜７ｄＢにおいてＸｄＢ＝３ｄＢである場合の精度が９０％以上であることが必要である。
【００１０】
ＷＣＤＭＡでは、推定ＳＩＮＲをタイムスロット毎（０．６６７ｍｓ）に生成し、内部ループ電力制御アルゴリズムに入力する必要がある。マルチパスチャネル及び干渉プラス雑音電力が１つのタイムスロットの間でほとんど変化しないと仮定すると、復調した元のビットはガウス分布し、ＳＩＮＲはタイムスロットの全期間に渡って固定される。個別物理制御チャネルは、スロット形式に依存して、下りリンクではタイムスロット当たり２〜８個の個別パイロットシンボル（１シンボル＝２ビット）、上りリンクでは３〜８個の個別パイロットシンボル（１シンボル＝１ビット）しか含まない。推定精度は、推定に使用する関連パイロットの数に依存し、パイロットが多ければ推定精度は高くなる。
推定精度を改善するための一つの解決方法は、より多くのシンボルを利用することができるように、信号電力の測定とは異なる測定オブジェクトに関する有効な干渉プラス雑音電力を測定することである。本発明によれば、上りリンクにおいて、有効な干渉プラス雑音電力の測定をアイドルコードチャネルに対して実施する。アイドルコードは、チャネライゼーションコードとして占有されない、又はチャネライゼーションコード（群）を生成するために使用されるＯＶＳＦコードである。図２はＯＶＳＦコードツリーを示している。チャネライゼーションコードはＣｃｈ，ＳＦ，ｋとして固有の形で記載され、ここでＳＦはコードの拡散率であり、ｋはコード番号であり、０≦ｋ≦ＳＦ−１である。コードツリーの各レベルはＳＦの拡散率に対応する長さＳＦのチャネライゼーションコードを定義する。各チャネライゼーションコードワードの最も左側の値は時間軸で最初に送信されるチップに対応する。ＯＶＳＦコードツリーの重要な特徴は、異なる分岐のチャネライゼーションコードは拡散率ＳＦに関係なく互いに直交する、とういうことである。後述するように、本発明ではこの特徴を使用する。
【００１１】
有効な干渉プラス雑音電力の正確な推定値を得るためには、アイドルコードの拡散率（ＳＦ）をできる限り小さくして、同じタイムスロットの間にできる限り多くのシンボルを使用することができるようにすることが好ましい。アイドルコードの最小のＳＦは、使用コードの全てがＯＶＳＦツリーの同じ半分に属する場合に２となる。更に詳細には、全てのチャネライゼーションコードがＯＶＳＦコード（１，１）から得られる場合、ＯＶＳＦコード（１，−１）をアイドルコードとして使用することができ、この逆の場合も同様である。
このように提案したアイドルコード体系では、既存の標準に何ら変更を加える必要が無く、通知を行なうための余計な負荷も全く生じない。基地局は、ユーザのチャネライゼーションコードを既に認識していてこのユーザの異なるコードチャネルを復元するので、基地局はＯＶＳＦコードツリーをルックアップすることにより最良のアイドルコードを生成することができる。更に詳細には、３ＧＰＰ仕様［３］から、次の結論をＷＣＤＭＡに関して導くことができる。
１．図３及び４に示すように、チャネライゼーションコードＣｃｈ，２，１（ＳＦ＝２）は、１又は２のＤＰＤＣＨが上りリンクで送信される場合は必ずアイドル状態にある（実際、下側の全ての分岐はアイドルコードを含むが、Ｃｃｈ，２，１は最小の拡散率（ＳＦ＝２）を有するので好ましい）。
２．図５に示すように、チャネライゼーションコードＣｃｈ，４，２（ＳＦ＝４）（及びこのコードから始まる分岐）は、３又は４のＤＰＤＣＨが上りリンクで送信される場合は必ずアイドル状態にある。
３．図６に示すように、チャネライゼーションコードＣｃｈ，８，１（ＳＦ＝８）（及びこのコードから始まる分岐）は、５又は６のＤＰＤＣＨが上りリンクで送信される場合に必ずアイドル状態にある。
【００１２】
アイドルコードチャネルは送信電力がゼロのチャネルとして見なすことができ、参考文献［４］が示すものと同じ解析方法を使用することにより、次式が導かれる。
2006514452.tif 000010
従って、正しくスケーリングし直すことにより、所望のチャネルの可変推定を代わりにアイドルチャネルに対して実施することができる。
【００１３】
例えば個別物理制御チャネル（ＤＰＣＣＨ）の場合に相当する、所望のコードチャネルが時間多重されたパイロットシンボルを有する場合、所望のコードチャネルの推定ＳＩＮＲは図７の構成に示すように計算することができ、図７は、本発明の例示的実施形態を説明するために重要となる基地局の各部分を示している。本実施形態では、デスクランブリングした信号は、それぞれチャネライゼーションコードＣＣＤＰＣＣＨ及びＣＣｉｄｌｅと乗算し、積分器１２及び１４においてそれぞれ積分することにより、２つのパラレル信号ストリームｒｕＤＰＣＣＨ（ｎ）及びｒｕｉｄｌｅ（ｎ）に復元される。アイドルチャネライゼーションコードは、アイドルコード選択ブロック２８により、図２のＯＶＳＦコードツリー及び基地局に認識される占有コードに基づいて選択される。アイドルチャネライゼーションコードは、例えば単純なルックアップテーブルとして用いることができる。次にＳＩＮＲをブロック１６、３０及び３２において次の等式を使用して推定する。
2006514452.tif 000011
上式中の記号は次式により表わされ、
2006514452.tif 000012
さらに、
Ｎｐｉｌｏｔｓは推定に使用されるパイロットシンボルの数であり、
Ｎｉｄｌｅは推定に使用されるアイドルシンボルの数である。
ここでは、記号
2006514452.tif 000013
を使用して平均が信号サンプルのノルム二乗により形成されることを示している。
【００１４】
例えば個別物理データチャネル（ＤＰＤＣＨ）の場合に相当する、所望のコードチャネルがパイロットシンボルを全く含まない場合、所望のコードチャネルの推定ＳＩＮＲは図８の構成に示すように、非コヒーレンス的に計算することができ、図８は、本発明のこの例示的実施形態を説明するために重要となる基地局の各部分を示している。本実施形態では、デスクランブリングされた信号は、それぞれチャネライゼーションコードＣＣＤＰＤＣＨ及びＣＣｉｄｌｅと乗算し、積分器１２及び１４においてそれぞれ積分することにより、２つのパラレル信号ストリームｒｕＤＰＤＣＨ（ｎ）及びｒｕｉｄｌｅ（ｎ）に復元される。アイドルチャネライゼーションコードは、アイドルコード選択ブロック２８により、図２のＯＶＳＦコードツリー及び基地局に認識される占有コードに基づいて選択される。アイドルチャネライゼーションコードは、例えば単純なルックアップテーブルとして用いることができる。次にＳＩＮＲをブロック３０、４０及び４２において次の等式を使用して推定する。
2006514452.tif 000014
上式中の記号は次式により表わされ、
2006514452.tif 000015
さらに、
ＮＤＰＤＣＨは推定に使用される信号シンボルの数であり、
Ｎｉｄｌｅは推定に使用されるアイドルシンボルの数である。
本発明の構成の機能は通常、マイクロプロセッサ又はマイクロ／シグナルプロセッサ結合装置及び対応するソフトウェアとして実行される。
【００１５】
ＷＣＤＭＡ上りリンクに対し、記載した先行技術による方法では、ＳＩＮＲを推定するために３〜８個の個別パイロットシンボルしか利用しない。これとは異なり、本発明による方法では、最大１２８０（２５６０／２）個の「アイドルシンボル」を利用して、１のタイムスロットの間に有効な干渉プラス雑音電力を測定することができる。これは、ＳＩＮＲ推定を補助するのにアイドルコードチャネル（小さい拡散率の）を使用することの主要な利点である。新規の方法ではまた、１０個のＤＰＣＣＨシンボルの全てを利用してＤＰＣＣＨ電力を測定し、更にＤＰＤＣＨチャネルの全てのシンボルを利用してＤＰＤＣＨ電力を測定することができる。図９は、本発明によって達成することができる性能改善を示す図である。この図では、アイドルコードチャネル（ＳＦ＝２）に基づくＳＩＮＲ推定値を、８個の個別パイロットシンボル（ＢＰＳＫ変調により１シンボル＝１ビット）に基づくＳＩＮＲ推定値と比較する。本実施例では、推定精度が７０％から９５％に向上している（ＸｄＢ＝３ｄＢの場合）。個別パイロットシンボルが８個よりも少ない場合、向上の度合いは一層大きくなる。
図１０は、本発明による方法の例示的実施形態を要約したフローチャートである。ステップＳ１では、チャネルのチャネライゼーションコードを使用して所望のチャネルの電力を推定する。ステップＳ２では、占有チャネライゼーションコードに関する情報を使用してＯＶＳＦツリーから小さいＳＦのアイドルチャネライゼーションコードを検索し、選択する。ステップＳ３では、求めたアイドルチャネライゼーションコードを使用して干渉プラス雑音の電力を推定する。ステップＳ４では、求めた電力推定値を使用してＳＩＮＲの推定値を形成する。チャネライゼーションコードが異なる拡散率を有する場合、ステップＳ３において得られる推定値をそれに応じてスケーリングし直す。最後に、ステップＳ５では、手順をステップＳ１に戻して次のタイムスロットのＳＩＮＲを推定する。
【００１６】
本技術分野の当業者であれば、請求の範囲によって定義される本発明の技術範囲から逸脱せずに、本発明に種々の変形及び変更を加え得ることが理解できるであろう。
【００１７】
参考文献
［１］ＴＳＧＲ１＃４（９９）３４８，  “Ｐｒｏｐｏｓａｌ  ｆｏｒ  ｄｏｗｎｌｉｎｋ  ｉｎｔｅｒｆｅｒｅｎｃｅ  ｍｅａｓｕｒｅｍｅｎｔ  ｍｅｔｈｏｄ"．  ＴＳＧ−ＲＡＮ  Ｗｏｒｋｉｎｇ  Ｇｒｏｕｐ  １  ｍｅｅｔｉｎｇ  ＃４，  Ｓｈｉｎ−Ｙｏｋｏｈａｍａ，  Ｊａｐａｎ，  Ａｐｒｉｌ  １８−２０，  １９９９．
［２］ＷＯ  ００／５７６５４．
［３］ＴＳ  ２５．２１３，  “Ｓｐｒｅａｄｉｎｇ  ａｎｄ  ｍｏｄｕｌａｔｉｏｎ  （ＦＤＤ），"  ｖｅｒｓｉｏｎ  ３．１．０．
［４］Ｗａｎｇ  Ｈａｉ，  Ｎｉｃｌａｓ  Ｗｉｂｅｒｇ，  “Ａｎａｌｙｓｉｓ  ｏｆ  ａ  ＣＤＭＡ  ｄｏｗｎｌｉｎｋ  ｉｎ  ｍｕｌｔｉ−ｐａｔｈ  ｆａｄｉｎｇ  ｃｈａｎｎｅｌｓ，"  ｉｎ  Ｐｒｏｃｅｅｄｉｎｇ  ＩＥＥＥ  Ｗｉｒｅｌｅｓｓ  Ｃｏｍｍｕｎｉｃａｔｉｏｎ  ＆  Ｎｅｔｗｏｒｋｉｎｇ  Ｃｏｎｆｅｒｅｎｃｅ  （ＷＣＮＣ），  Ｏｒｌａｎｄｏ，  ＦＬ，  Ｍａｒ．  １７−２１，  ２００２，  ｐｐ．  ５１７−５２１．
【図面の簡単な説明】
【００１８】
【図１】先行技術によるＳＩＮＲ推定構成の概念ブロック図である。
【図２】ＯＶＳＦコードツリーの構造を示す図である。
【図３】単一のＤＰＤＣＨを使用する場合のアイドルコードを示すＯＶＳＦコードツリー図である。
【図４】２のＤＰＤＣＨを使用する場合のアイドルコードを示すＯＶＳＦコードツリー図である。
【図５】３〜４のＤＰＤＣＨを使用する場合のアイドルコードを示すＯＶＳＦコードツリー図である。
【図６】５〜６のＤＰＤＣＨを使用する場合のアイドルコードを示すＯＶＳＦコードツリー図である。
【図７】本発明によるＳＩＮＲ推定構成の例示的実施形態の概念ブロック図である。
【図８】本発明によるＳＩＮＲ推定構成の別の例示的実施形態の概念ブロック図である。
【図９】本発明によって実現する性能向上を示す図である。
【図１０】本発明による方法の例示的実施形態を示すフローチャートである。
【図１】
2006514452.tif 000016
【図２】
2006514452.tif 000017
【図３】
2006514452.tif 000018
【図４】
2006514452.tif 000019
【図５】
2006514452.tif 000020
【図６】
2006514452.tif 000021
【図７】
2006514452.tif 000022
【図８】
2006514452.tif 000023
【図９】
2006514452.tif 000024
【図１０】
2006514452.tif 000025
【国際調査報告】
2006514452.tif 000026